(57)【要約】広告露出量の調整方法およびシステムが開示される。広告露出量の調整方法は、広告主により広告の露出量が設定されるステップと、前記設定された広告の露出量に応じて広告を露出させるステップとを含む。
2012503266.tif 000002
【特許請求の範囲】
【請求項１】
所定期間ごとに広告領域に露出される広告の露出量が広告主により設定されるステップと、
前記設定された広告の露出量に応じて広告を露出させるステップと、
を含むことを特徴とする広告露出量の調整方法。
【請求項２】
許容可能な広告の露出量の情報を前記広告主に提供するステップをさらに含み、
前記広告の露出量が広告主により設定されるステップにおいて、許容可能な前記広告の露出量の範囲内で前記広告主により前記広告の露出量が設定されることを特徴とする請求項１に記載の広告露出量の調整方法。
【請求項３】
前記広告の露出量を設定可能な露出量設定メニューを前記広告主に提供するステップをさらに含み、
前記広告の露出量が広告主により設定されるステップにおいて、広告主が前記露出量設定メニューを選択することにより前記広告の露出量が設定されることを特徴とする請求項１に記載の広告露出量の調整方法。
【請求項４】
広告露出可能回数である残余インベントリが許容する露出量に応じて前記広告の許容可能な露出量を調整するステップをさらに含むことを特徴とする請求項２に記載の広告露出量の調整方法。
【請求項５】
前記広告の露出量が広告主により設定されるステップは、広告契約に基づくギャランティの露出量に応じて期間別の前記広告の露出量が前記広告主により設定されることを特徴とする請求項２に記載の広告露出量の調整方法。
【請求項６】
前記露出量設定メニューに応じて前記広告の露出量を設定した広告主に追加費用を課金するステップをさらに含むことを特徴とする請求項３に記載の広告露出量の調整方法。
【請求項７】
前記設定された広告の露出量に応じて広告を露出させるステップは、前記期間別に設定された広告の露出量に応じて広告を所定の広告領域に露出させることを特徴とする請求項５に記載の広告露出量の調整方法。
【請求項８】
請求項１〜請求項７のいずれか１項の方法を行うプログラムを記録したことを特徴とするコンピュータで読み出し可能な記録媒体。
【請求項９】
所定期間ごとの広告領域に露出される広告の露出量が広告主により設定される設定部と、
前記設定された広告の露出量に応じて広告を露出させる広告露出部と、
を備えることを特徴とする広告露出量調整システム。
【請求項１０】
許容可能な広告の露出量の情報を前記広告主に提供する提供部をさらに備え、
前記設定部は、前記許容可能な露出量の範囲内で前記広告主により前記広告の露出量が設定されることを特徴とする請求項９に記載の広告露出量調整システム。
【請求項１１】
前記提供部は、前記広告の露出量を設定可能な露出量設定メニューを前記広告主に提供し、
前記設定部は、広告主が前記露出量設定メニューを選択することにより前記広告の露出量が設定されることを特徴とする請求項９に記載の広告露出量調整システム。
【請求項１２】
広告露出可能回数である残余インベントリが許容する露出量に応じて前記許容可能な露出量を調整する調整部をさらに備えることを特徴とする請求項９に記載の広告露出量調整システム。
【請求項１３】
前記設定部は、前記所定期間の間に広告契約に基づくギャランティの露出量が、期間別の広告の露出量として前記広告主により設定されることを特徴とする請求項９に記載の広告露出量調整システム。
【請求項１４】
前記露出量設定メニューに応じて前記広告の露出量を設定した広告主に追加費用を課金する課金部をさらに備えることを特徴とする請求項１１に記載の広告露出量調整システム。
【請求項１５】
前記広告露出部は、前記期間別に設定された広告の露出量に応じて広告を所定の広告領域に露出させることを特徴とする請求項１３に記載の広告露出量調整システム。
【発明の詳細な説明】
【技術分野】
【０００１】
本発明は、広告ユニット（ｕｎｉｔ）別に期間別広告の露出量を制御する広告露出量の調整方法およびシステムに関し、より詳しくは、広告ユニットに対する期間別の露出量を制御することのできる露出量制御メニューを広告主に提供し、広告主により所定期間別に広告の露出量が設定され、設定された広告の露出量に応じて広告を露出する広告露出量の調整方法およびシステムに関する。
【背景技術】
【０００２】
一般的にオンライン広告は、ウェブページの一定部分に広報しようとする内容をグラフィックイメージの形態に付着した広告の形態を意味する。このようなオンライン広告は、あたかも懸垂幕のような形状をしてバナー（ｂａｎｎｅｒ）広告という名称として呼ばれ、予め定められたサイズに、動画ファイルなどを用いて広告を出して所定の広告料を支払う形態である。広告効果を分析するためにオンライン広告のユーザによる閲覧回数や一定期間にオンライン広告のグラフィックがダウンロードされた回数を算出して広告主に知らせる。
【０００３】
最初は、バナー広告は、四角状にドメインと事業内容を知らせる単純な形態で始めたが、最近は、動画を入れたり、ホームページをクリックすれば画面に固定的に配置されたりするなど、多様化している。
【０００４】
このようなオンライン広告は、一般的にＣＰＭ（Ｃｏｓｔ  Ｐｅｒ  Ｍｉｌｌ）の形態で販売される。ＣＰＭとは、１，０００回の広告露出に支払う広告費を意味し、定額制の広告を意味する。ＣＰＭが１００ウォンであれば、広告を１，０００回露出させるために費やされる広告費は１００ウォンという意味で、普通、ウェブページの最初の画面の上段や下段に出てくるバナーの広告費を基準にしている。Ｍｉｌｌはローマ数字で１、０００を表す。
【０００５】
このようなオンライン広告を表示する従来の広告露出システムは、ＣＰＭの形態で販売された広告の日別、時間別の露出比率を契約期間の間に一定に維持してもよい。
【０００６】
従来における広告露出システムは、広告を露出するためにＣＰＭの形態で販売された広告のギャランティの露出量（契約により保証された露出量）を同じ比率に分担して前記広告を露出させる。しかし、一日１０億程度の要求を処理するための多重化されたサーバ環境において、広告のギャランティの露出量を同じ比率に分担した広告露出システムにおいては一時的な障害が発生してしまうと約束されたギャランティの露出量を達成するのは困難である。
【０００７】
また、予想できない要因によってユーザ端末によるサービスページのＰＶ（Ｐａｇｅ  Ｖｉｅｗ）が急激に増加または減少したとき、これにより発生したＩＭＰ（インプレッション（ｉｍｐｒｅｓｓｉｏｎ）：特定のウェブページにおいて掲載されているバナー広告が露出した場合、１回の露出を１インプレッションという）の増加あるいは減少の分、残った時間の間に補正をしなければならない。
【０００８】
このように従来の広告露出システムにおいては、ログプロセッシングによって一日ごとに集計される広告の露出量を基準にして、翌日以降の広告の露出量を決定して一日あたりのギャランティに応じた露出量で一つの広告枠を複数の広告でローテーションして送信していた。したがって、日別のトラフィック推移変化による誤差が激しい場合、広告終了日よりも早く広告の露出量の目標を達成してしまうという問題が発生した。逆に、全ての広告について同じ比率で露出が実行されるため、ある広告の露出量が目標を超過する一方で、他の一部の広告の露出量の目標未達を招いてしまう問題が発生した。このように従来の広告露出システムでは、所定期間の間に決められたギャランティに対応した露出量だけ広告を露出する方式によって日別または週別に広告が不規則的に露出されるため、所定期間において、広告が毎日または毎週といった周期的に露出されることを所望する広告主は不満を持ってしまう。
【０００９】
一方、従来の広告露出システムにおいて、所定の期間における広告の露出量を一定にすると、新商品の発売日、イベント開始日、またはイベント終了日などのように特定の日に平常時よりも多くの広告が露出されることを所望する広告主は不満を持ってしまう。
【００１０】
したがって、所定の期間において広告主が所望する広告の露出量を調整することのできる方法が求められている。
【発明の概要】
【発明が解決しようとする課題】
【００１１】
本発明は、広告ユニットの期間別の露出量を制御することのできる露出量制御メニューを広告主に提供し、広告主により所定期間ごとの広告の露出量が設定され、設定された広告の露出量に応じて広告を露出する広告露出量の調整方法およびシステムを提供する。
【課題を解決するための手段】
【００１２】
本発明の一実施形態に係る広告露出量の調整方法は、広告の露出量が広告主により設定されるステップと、前記設定された広告の露出量に応じて広告を露出させるステップとを含む。
【００１３】
本発明の一実施形態に係る広告露出量調整システムは、広告の露出量が広告主により設定される設定部と、前記設定された広告の露出量に応じて広告を露出させる広告露出部とを備える。
【発明の効果】
【００１４】
本発明は、広告ユニットの期間別の露出量を制御することのできる露出量制御メニューを広告主に提供し、広告主により所定期間ごとの広告の露出量が設定され、設定された広告の露出量に応じて広告を露出する広告露出量の調整方法およびシステムを提供することによって、広告主が一定の範囲内で自身の希望する期間の広告露出量を調整して広告効果を増大させることができる。
【図面の簡単な説明】
【００１５】
【図１】本発明に係る広告露出量調整システム、広告主端末、およびユーザ端末間の連動関係を示す図である。
【図２】本発明の一実施形態に係る広告露出量調整システムの構成を示す図である。
【図３】本発明に係るバナー広告に対する広告期間、露出量、ターゲットの有無、商品区分、割引率、ギャランティの露出量、および金額情報の一例を示す図である。
【図４】本発明に係るバナー広告に対する露出量調整メニューの一例を示す図である。
【図５】本発明に係る広告露出量調整システムと広告主端末との間の相互動作を示す図である。
【図６】本発明の一実施形態に係る広告露出量の調整方法の動作フローを示す図である。
【図７】本発明に係る広告の露出量が広告主により設定されるステップを具体化した一例を示す図である。
【図８】本発明に係る広告の露出量が広告主により設定されるステップを具体化した他の一例を示す図である。
【発明を実施するための形態】
【００１６】
以下、添付する図面を参照しながら広告露出量の調整方法および広告露出量調整システムを詳細に説明する。
【００１７】
図１は、本発明に係る広告露出量調整システム、広告主端末、およびユーザ端末間の連動関係を示す図である。
【００１８】
図１を参照すると、広告露出量調整システム１００は、通信網１１０を介して接続された広告主端末１２０により広告主が所望する所定期間ごとの広告の露出量が設定される。すなわち、広告露出量調整システム１００は、通信網１１０を介して接続された広告主端末１２０により広告主の希望する時間別、日別、週別または月別の広告の露出量が設定される。
【００１９】
一例として、広告露出量調整システム１００は、所定期間の間における露出可能な広告の露出量、すなわち許容可能な露出量を通信網１１０を介して接続された広告主端末１２０に提供し、前記広告の許容可能な露出量の範囲内で広告主端末１２０により前記広告主の希望する期間別に前記広告の露出量を設定してもよい。ここで、広告露出量調整システム１００は、残余インベントリ（ｉｎｖｅｎｔｏｒｙ）で許容する露出量に応じて、前記広告の許容可能な露出量を調整してもよい。一例として、広告露出量調整システム１００は、残余インベントリで許容する露出量以下に前記広告の許容可能な露出量を調整してもよい。
【００２０】
他の一例として、広告露出量調整システム１００は、前記広告の露出量を設定できるようにする露出量設定メニューを通信網１１０を介して接続された広告主端末１２０に提供し、前記露出量設定メニューを選択した広告主端末１２０により前記広告の露出量が設定されてもよい。ここで、広告露出量調整システム１００は、前記所定期間の間に広告契約によるギャランティに応じた広告の露出量から日付別に広告の露出量が前記広告主により設定されてもよい。また、広告露出量調整システム１００は、前記露出量設定メニューに応じて前記広告の露出量を設定した広告主に追加費用を課金してもよい。
【００２１】
広告露出量調整システム１００は、前記設定された広告の露出量に応じて通信網１１０を介して接続されたユーザ端末１３０に広告を露出させる。すなわち、広告露出量調整システム１００は、前記設定された時間別、日別、週別、または月別などのような期間別の広告の露出量に応じて、通信網１１０を介して接続されたユーザ端末１３０に広告を露出させる。
【００２２】
図２は、本発明の一実施形態に係る広告露出量調整システムの構成を示す図である。
【００２３】
図２を参照すると、本発明の一実施形態に係る広告露出量調整システム１００は、設定部２１０、広告露出部２２０、広告データベース２３０、提供部２４０、調整部２５０、および課金部２６０を備える。
【００２４】
設定部２１０は、所定の広告領域に露出される広告の露出量が広告主により設定される。すなわち、設定部２１０は、前記広告主により一定の期間別に前記広告の露出量が設定される。一例として、設定部２１０は、前記広告主により時間別、日別、週別、または月別などの一定の期間別に前記広告の露出量を設定してもよい。
【００２５】
広告露出部２２０は、前記設定された広告の露出量に応じて広告を露出させる。すなわち、広告露出部２２０は、前記一定の期間別に前記広告主によって設定された広告の露出量に応じて所定の広告領域に前記広告を露出させる。一例として、前記広告主によって一週間のうち金曜日の広告の露出量を最大に設定した場合、広告露出部２２０は、前記設定された広告の露出量に応じて他の日よりも金曜日に最も多く広告を露出させることができる。
【００２６】
広告データベース２３０は、前記広告主から登録された広告の露出量を調整して広告を露出させるための各種のデータを記録して保持する。すなわち、広告データベース２３０は、前記広告主から登録されたバナー広告に対する広告期間、露出量（ＩＭＰ）、ターゲットの有無、商品区分、割引率、ギャランティの露出量（契約により保証された露出量）、または金額などのようなデータを記録して保持する。前記広告期間は前記バナー広告が露出する期間であり、前記露出量は前記バナー広告の露出数であり、前記ターゲットの有無は広告の露出領域または広告の露出対象が指定されるかの有無であり、前記商品区分は広告の種類であり、前記割引率は前記広告期間、前記露出量、前記ターゲットの有無または前記商品区分によって決定され、前記ギャランティの露出量は、前記広告期間の間に露出されるよう保証する前記バナー広告の総露出量であり、前記金額は前記バナー広告の露出に対する広告費用であってもよい。
【００２７】
図３は、本発明に係るバナー広告に対する広告期間、露出量、ターゲットの有無、商品区分、割引率、ギャランティの露出量、および金額情報の一例を示す図である。
【００２８】
図３を参照すると、広告データベース２３０は、前記広告主から登録された第１バナー広告に対する広告期間、露出量、ターゲットの有無、商品区分、割引率、ギャランティの露出量、または金額などのようなデータが記録された広告データテーブル３００を格納して保持してもよい。一例として、前記第１バナー広告は、サイズ３９０×１００であり、前記広告期間が２００８年５月１９日００：００：００から２００８年８月２５日２３：５９：５９までの一週間であり、可能ＩＭＰおよび予測ＩＭＰが１，００８，５７１，４２８として可能比率が１００％であり、ターゲッティングがなく、イメージおよびフラッシュ商品に構成されて、最終単価が１９２１、基準単価が２５００、割引率が２４％、ギャランティＩＭＰが２５０，０００，０００、金額が１００，０００，０００である。
【００２９】
広告データベース２３０は、設定部２１０によって前記広告主から設定された広告の露出量を記録して保持してもよい。
【００３０】
提供部２４０は、所定期間の間に許容可能な広告の露出量を前記広告主に提供する。これによって、設定部２１０は、前記許容可能な露出量の範囲内で前記広告主により前記広告の露出量が設定される。
【００３１】
また、提供部２４０は、前記広告の露出量を設定できるようにする露出量設定メニューを前記広告主に提供する。一例として、提供部２４０は、図３に示すような広告データテーブル３００を前記広告主に提供した後、広告データテーブル３００で前記露出量調整メニューの含まれたギャランティＩＭＰ３１０が前記広告主のクリックによって選択されると、第１バナー広告に対する露出量を前記広告主が調整できるようにするための、図４に示すような露出量調整メニュー画面４００を提供してもよい。
【００３２】
図４は、本発明に係るバナー広告に対する露出量調整メニューの一例を示す図である。
【００３３】
図４を参照すると、第１バナー広告に対する露出量調整メニュー画面４００は、広告日付および現在の残余インベントリを前記広告主に提供し、前記広告主から露出量を設定するための各広告日付別に露出量入力部４１１〜４１７、格納メニュー４２０、および取り消しメニュー４３０を備える。前記広告日付は前記第１バナー広告に対する広告期間の日付であり、前記現在の残余インベントリは広告露出サービスで１日の総広告露出数から以前に露出された数を除いた残りの広告露出可能な回数であってもよく、前記最大露出量は、前記第１バナー広告のギャランティＩＭＰであってもよい。
【００３４】
設定部２１０は、広告主により前記露出量設定メニューで選択された露出量を、前記広告の露出量として設定する。一例として設定部２１０は、前記所定期間中の広告契約に基づくギャランティの露出量に応じて広告主により設定された日付別の広告の露出量を、実際の広告の露出量として設定してもよい。これによって、広告部露出部２２０は、前記日付別に設定された広告の露出量に応じて所定の広告領域に広告を露出することができる。
【００３５】
調整部２５０は、残余インベントリが許容する量に基づいて前記許容可能な露出量を調整する。すなわち、調整部２５０は、現在の残余インベントリの範囲内において許容可能な露出量に応じて前記許容可能な露出量を調整してもよい。一例として、現在の残余インベントリが１５４、２４６、７２４である場合、調整部２５０は前記許容可能な露出量を１５４、２４６、７２４以下に調整してもよい。
【００３６】
課金部２６０は、前記露出量設定メニューに応じて前記広告の露出量を設定した広告主に追加費用を課金する。すなわち、課金部２６０は、一定の期間別に広告主によって設定された広告の露出量に応じて、広告が露出される代価として所定の広告費用の他に追加費用をさらに課金してもよい。
【００３７】
このように、本発明に係る広告露出量調整システム１００は、広告ユニットの期間別の露出量を制御することのできる露出量制御メニューを広告主に提供し、広告主により時間別、日別、週間別、または月別などのように所定期間ごとに広告の露出量が設定され、設定された広告の露出量に応じて広告を露出する広告露出量の調整方法およびシステムを提供することで、一定の範囲内で広告主の要求に応じて広告主の希望する期間の広告露出量を調整して広告効果を増大することができる。
【００３８】
図５は、本発明に係る広告露出量調整システムと広告主端末との間の相互動作を示す図である。
【００３９】
図１および図５を参照すると、ステップＳ５１１において、広告主端末１２０は広告期間および広告提案金額を入力する。すなわち、ステップＳ５１１において、広告主端末１２０は広告期間および広告提案金額が広告主から入力され、前記入力された広告期間および広告提案金額を通信網１１０を介して接続された広告露出量調整システム１００に提供する。
【００４０】
ステップＳ５２１において、広告露出量調整システム１００は、前記広告期間および広告提案金額に応じて予算割引率を確定する。すなわち、ステップＳ５２１で広告露出量調整システム１００は、前記広告期間の長さまたは広告提案金額の金額に応じて予算割引率を確定し、前記確定した予算割引率を通信網１１０を介して接続された広告主端末１２０に提供する。一例として、前記広告主により第１バナー広告に対する広告期間および広告提案金額が提供されると、ステップＳ５２１で広告露出量調整システム１００は、前記第１バナー広告に対する広告期間が基準値よりも長いか、または前記広告提案金額の金額が基準値よりも高ければ、予算割引率を基準値以上に確定してもよい。他の一例として、前記広告主により第１バナー広告に対する広告期間および広告提案金額が提供されると、ステップＳ５２１で広告露出量調整システム１００は、前記第１バナー広告に対する広告期間が基準値よりも短いか、または前記広告提案金額の金額が基準値よりも低ければ、予算割引率を基準値未満に確定してもよい。
【００４１】
ステップＳ５１２において広告主端末１２０は、広告位置、露出期間、ターゲットの有無を決定する。すなわち、ステップＳ５１２で広告主端末１２０は、前記広告主から広告が配置される位置、広告が露出される期間、広告のターゲットの有無を決定し、前記広告位置、露出期間、またはターゲットの有無情報を通信網１１０を介して接続された広告露出量調整システム１００に提供する。
【００４２】
ステップＳ５２２において、広告露出量調整システム１００は、前記広告位置、露出期間、またはターゲットの有無情報に応じて最終単価を決定する。すなわち、ステップＳ５２２で広告露出量調整システム１００は、前記広告位置、露出期間、またはターゲットの有無情報に応じて最終単価を決定し、前記決定された最終単価を通信網１１０を介して接続された広告主端末１２０に提供する。
【００４３】
ステップＳ５１３において、広告主端末１２０は、前記決定された最終単価に応じて広告掲載金額を入力する。すなわち、ステップＳ５１３で広告主端末１２０は、前記決定された最終単価に応じて前記広告主により広告掲載金額が入力されると、前記入力された広告掲載金額を通信網１１０を介して接続された広告露出量調整システム１００に提供する。
【００４４】
ステップＳ５２３において、広告露出量調整システム１００は前記広告掲載金額に応じて広告露出量を算出する。すなわち、ステップＳ５２３で広告露出量調整システム１００は、前記広告掲載金額に応じて広告露出量を算出し、前記算出された広告露出量を通信網１１０を介して接続された広告主端末１２０に提供する。
【００４５】
ステップＳ５１４において、広告主端末１２０は、前記算定された広告露出量に応じて期間別の広告露出量を設定する。すなわち、ステップＳ５１４で広告主端末１２０は、前記算定された広告露出量に応じて前記広告主から時間別、日別、週別、または月別などのよう期間別に前記広告露出量が設定され、前記設定された広告露出量を通信網１１０を介して接続された広告露出量調整システム１００に提供する。
【００４６】
ステップＳ５２４において、広告露出量調整システム１００は、前記設定された広告露出量に応じて広告を登録し、ステップＳ５２５において前記登録された広告の露出を実行する。すなわち、ステップＳ５２４で広告露出量調整システム１００は、前記設定された広告露出量に応じて広告を広告データベースに登録し、ステップＳ５２５で前記設定された広告露出量に応じて前記登録された広告を通信網１１０を介して接続されたユーザ端末１３０に露出させる。
【００４７】
図６は、本発明の一実施形態に係る広告露出量の調整方法の動作フローを示す図である。
【００４８】
図１および図６を参照すると、ステップＳ６１０において、広告露出量調整システム１００での広告の露出量が、広告主により設定される。すなわち、ステップＳ６１０で広告露出量調整システム１００において、通信網１１０を介して接続された広告主端末１２０の広告主により前記広告主の希望する所定の期間別に前記広告の露出量が設定される。一例として、ステップＳ６１０で広告露出量調整システム１００において、通信網１１０を介して接続された広告主端末１２０の広告主により、前記所定期間の間に広告契約に基づくギャランティの露出量から、日付別に前記広告の露出量が設定されてもよい。例えば、前記決定した広告期間が、図３に示すように、２００８年５月１９日００：００：００から２００８年５月２５日２３：５９：５９までの場合、ステップＳ６１０で広告露出量調整システム１００は、通信網１１０を介して接続された広告主端末１２０の広告主より前記決定した広告期間の一週間の広告契約に基づくギャランティの露出量から日付別（５月１９日乃至５月２５日）に前記広告の露出量を、図４に示すような露出量設定入力部４１１〜４１７によってそれぞれ設定してもよい。
【００４９】
ステップＳ６２０において、広告露出量調整システム１００は、前記設定された広告の露出量に応じて広告を露出させる。すなわち、ステップＳ６２０で広告露出量調整システム１００は、前記期間別に設定された広告の露出量に応じて前記広告を通信網１１０を介して接続されたユーザ端末１３０に露出させる。一例として、ステップＳ６２０で広告露出量調整システム１００は、前記各日付別に設定された広告の露出量に応じて前記広告を所定の広告領域に露出させてもよい。
【００５０】
図７は、本発明の一実施形態に係る広告露出料の調整方法において、広告の露出量が広告主により設定されるステップを具体化した一例を示す図である。
【００５１】
図７を参照すると、ステップＳ７１０において、広告露出量調整システム１００は、残余インベントリで許容する量に応じて、許容可能な広告の露出量を調整する。すなわち、ステップＳ７１０で広告露出量調整システム１００は、図５に示すステップＳ５２３で算定された広告露出量に対して、残余インベントリで許容する露出量の限度に応じて前記広告の許容可能な露出量を調整する。
【００５２】
ステップＳ７２０において、広告露出量調整システム１００は、所定期間の間に露出可能な前記広告の許容可能な露出量を通信網１１０を介して接続された広告主端末１２０の広告主に提供する。
【００５３】
ステップＳ７３０において、広告露出量調整システム１００では、前記広告の許容可能な露出量の範囲内において前記広告主により広告の露出量が設定される。すなわち、ステップＳ７３０で広告露出量調整システム１００は、前記広告の許容可能な露出量の範囲内で通信網１１０を介して接続された広告主端末１２０において、前記広告の露出量が各期間別に設定される。
【００５４】
このように、本発明の一実施形態に係る広告露出量の調整方法においては、前記残余インベントリで許容する、許容可能な広告の露出量の範囲に応じて、広告主により各期間別広告の露出量が設定されてもよい。
【００５５】
図８は、本発明の一実施形態に係る広告露出量の調整方法において、広告の露出量が広告主により設定されるステップを具体化した異なる一例を示す図である。
【００５６】
図１および図８を参照すると、ステップＳ８１０において、広告露出量調整システム１００は、広告の露出量を広告主が設定できるようにする露出量調整メニューを前記広告主に提供する。一例として、ステップＳ８１０において、広告露出量調整システム１００は、図３に示すような露出量調整メニューが内包されたギャランティＩＭＰ３１０を含む広告データテーブル３００を、通信網１１０を介して接続された広告主端末１２０の広告主に提供してもよい。
【００５７】
ステップＳ８２０において、広告露出量調整システム１００は、前記広告主により露出量調整メニューが選択される。一例として、ステップＳ８２０で広告露出量調整システム１００は、通信網１１０を介して接続された広告主端末１２０の広告主により、図３に示すような広告データテーブル３００において露出量調整メニュー中のギャランティＩＭＰ３１０が選択されてもよい。
【００５８】
ステップＳ８３０において、広告露出量調整システム１００は、前記露出量調整メニューを選択した広告主により広告の露出量が設定される。一例として、ステップＳ８３０で広告露出量調整システム１００は、通信網１１０を介して接続された広告主端末１２０の広告主が、図３に示すような露出量調整メニュー中のギャランティＩＭＰ３１０を選択すると、図４に示す露出量調整メニュー画面４００を提供して、各日付別に前記広告主から露出量設定入力部４１１〜４１７を介して前記広告の露出量が設定されてもよい。
【００５９】
ステップＳ８４０において、広告露出量調整システム１００は、前記露出量調整メニューに応じて前記広告の露出量を設定した広告主に追加費用を課金する。すなわち、ステップＳ８４０で広告露出量調整システム１００は、前記露出量調整メニューに応じて前記広告の露出量を設定した前記広告主に前記広告の露出量を調整する代価として追加費用を課金する。
【００６０】
このように、本発明に係る広告露出量の調整方法は、広告ユニットの期間別の露出量を制御・調整することのできる露出量調整メニューを広告主に提供し、広告主により日別または週間別などのよう所定期間別に広告の露出量が設定され、設定された広告の露出量に応じて広告を露出する広告露出量の調整方法およびシステムを提供することで、一定の範囲内で広告主の要求に応じて広告主の希望する期間の広告露出量を調整して広告効果を増大させることができる。
【００６１】
一方、本発明に係る広告露出量の調整方法は、多様なコンピュータ手段を介して様々な処理を実行することができるプログラム命令の形態に具現化され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００６２】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００６３】
したがって、本発明の範囲は、開示された実施形態に限定されて定められるものではなく、特許請求の範囲だけではなく特許請求の範囲と均等なものなどによって定められるものである。
【図１】
2012503266.tif 000003
【図２】
2012503266.tif 000004
【図３】
2012503266.tif 000005
【図４】
2012503266.tif 000006
【図５】
2012503266.tif 000007
【図６】
2012503266.tif 000008
【図７】
2012503266.tif 000009
【図８】
2012503266.tif 000010
【国際調査報告】
2012503266.tif 000011
2012503266.tif 000012
2012503266.tif 000013
2012503266.tif 000014